(57)【特許請求の範囲】
【請求項１】
略矩形板状をなす底壁部と、前記底壁部の各側辺部に沿ってそれぞれ上方に突出する土台部とを具備する底壁構成部と、
前記各土台部に対してそれぞれ前記土台部の上方に立設される起立位置と、前記底壁部の上方に畳まれる寝かせ位置との間を回動可能に連結された側壁部とを備える折畳み容器において、
前記土台部は、前記底壁部の各長辺部に沿って設けられる長辺側土台部と、前記底壁部の各短辺部に沿って設けられる短辺側土台部とを備え、
前記側壁部は、前記長辺側土台部に対して連結される相対する一対の長辺側側壁部と、前記短辺側土台部に対して連結される相対する一対の短辺側側壁部とを備え、
前記長辺側土台部は、前記短辺側土台部よりも前記底壁部からの突出長が長く構成され、前記短辺側側壁部が前記底壁部の上方に重なるようにして折り畳まれた状態で、前記長辺側側壁部を前記折り畳まれた短辺側側壁部の上方に重なるようにして折り畳み可能に構成され、
前記底壁構成部の下面側には、前記底壁部のうち前記一対の長辺側土台部間の範囲の下面から下方に突出する支持リブが設けられ、
前記長辺側側壁部の外面側には、前記長辺側側壁部の横幅方向に延びる横リブと、前記長辺側側壁部の高さ方向に延びる縦リブとを具備する補強リブが設けられ、
前記支持リブには、全ての前記側壁部が寝かせ位置とされた折畳み状態にある折畳み容器同士を上下に積み重ねた場合に、下側の折畳み容器の前記長辺側側壁部の前記補強リブが収容されるリブ収容部が設けられ、
前記底壁構成部の下面側には、前記底壁部の下面から下方に突出し、前記底壁部の長手方向一側辺部、又は、その近傍から、前記底壁部の長手方向他側辺部、又は、その近傍にかけて延びるガイド突部が設けられており、
前記長辺側側壁部の前記横リブは、前記長辺側側壁部の上辺部に沿って延びる上辺リブを備え、
前記リブ収容部は、前記折畳み状態にある折畳み容器同士を上下に積み重ねた場合に、下側の折畳み容器の前記長辺側側壁部の前記上辺リブが収容される上辺リブ収容部を備え、
前記寝かせ位置とされた一対の前記長辺側側壁部は、先に畳まれた前記短辺側側壁部の上方において、その上辺部を対向させるような格好で内側に畳まれて、互いに同じ高さ位置で維持され、
前記寝かせ位置とされた一対の前記長辺側側壁部の上辺部間には隙間が形成されるとともに、当該隙間に対し、上側に重ねられる折畳み容器の前記ガイド突部が収容されることを特徴とする折畳み容器。
【請求項２】
前記ガイド突部は、当該ガイド突部の長手方向において互いに平行して延びる一対の長手リブと、前記長手リブの延在方向に対して交差する方向に延び、前記長手リブ間を連結する連結リブとを備えるとともに、
前記ガイド突部の前記底壁部からの突出長は、前記支持リブの前記底壁部からの突出長と同じであることを特徴とする請求項１に記載の折畳み容器。
【発明の詳細な説明】
【技術分野】
【０００１】
本発明は、物品の運搬等に使用される折畳み容器に関するものである。
【背景技術】
【０００２】
従来、略矩形板状をなす底壁部と、底壁部の各側辺部に沿ってそれぞれ上方に突出する土台部とを具備する底壁構成部と、各土台部に対してそれぞれ回動可能に連結された側壁部とを備え、上方に開口する箱型に組立可能に構成されるとともに、各側壁部を底壁部の上方に折畳むことのできる折畳み容器が知られている。また、物品を収容していない折畳み容器自体の運搬や保管に際しての効率の向上を図るべく、折畳み状態にある折畳み容器同士を安定的に上下に積み重ねる（段積みする）ことができるような構成を備えているものがある（例えば、特許文献１等参照。）。
【０００３】
より具体的に、特許文献１の折畳み容器は、相対する一対の長辺側側壁部が、その上辺部を対向させるような格好で内側に畳まれ、互いに同じ高さ位置で維持される（底壁部に支持される）とともに、もう一対の短辺側側壁部が、先に畳まれた長辺側側壁部の上方において、その上辺部を対向させるような格好で内側に畳まれ、互いに同じ高さ位置で維持される（先に畳まれた長辺側側壁部に支持される）ようになっている。また、各短辺側側壁部の外面側には、その外周縁部に沿って外方に突出する四角枠状の枠リブが設けられ、底壁部の下面側には、折畳み容器を支持する支持リブが設けられている。そして、折畳み状態にある折畳み容器を段積みした場合に、上側の折畳み容器の支持リブが、下側の折畳み容器の短辺側側壁部の枠リブの内側に挿入されるように構成されている。この場合、折畳み状態で段積みされた折畳み容器同士の水平方向における相対変位を防止するとともに、段積みされた折畳み容器の高さを抑制することができる。
【先行技術文献】
【特許文献】
【０００４】
【特許文献１】特許第３７５０７９５号公報
【発明の概要】
【発明が解決しようとする課題】
【０００５】
ところで、特許文献１では、底壁構成部の支持リブが相対する一対の短辺側側壁部の各枠リブに挿入されるように構成するべく、支持リブは、相対する一対の短辺側側壁部の枠リブのうち上辺部に対応する部位を跨ぐようにして段差状に形成されている。つまり、支持リブには、折畳み容器（底壁部）の長手方向における中間位置において、支持リブの底壁部からの突出長の短い谷部が、底壁部の短手方向に延在するようにして形成されている。このため、例えば、一対の短辺側側壁部を掴んで、物品を収容した折畳み容器を持ち上げる等した場合に、底壁部のうち支持リブの谷部に対応する部位が変形してしまうこと等が懸念される。
【０００６】
また、ローラコンベアを利用して折畳み容器を搬送する場合には、一般に、折畳み容器の長手方向と、折畳み容器の搬送方向とを一致させるようにして、折畳み容器をローラコンベアに載せることとなる。しかしながら、折畳み容器をローラコンベアで搬送する場合に、支持リブの前記谷部に対してローラコンベアのローラが嵌ってしまい、折畳み容器の搬送が滞ってしまうことが懸念される。
【０００７】
本発明は、上記例示した問題点等を解決するためになされたものであって、その目的は、底壁部の強度の向上、及び、ローラコンベアを使用しての搬送効率の向上を図ることができる折畳み容器を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．略矩形板状をなす底壁部と、前記底壁部の各側辺部に沿ってそれぞれ上方に突出する土台部とを具備する底壁構成部と、
前記各土台部に対してそれぞれ前記土台部の上方に立設される起立位置と、前記底壁部の上方に畳まれる寝かせ位置との間を回動可能に連結された側壁部とを備える折畳み容器において、
前記土台部は、前記底壁部の各長辺部に沿って設けられる長辺側土台部と、前記底壁部の各短辺部に沿って設けられる短辺側土台部とを備え、
前記側壁部は、前記長辺側土台部に対して連結される相対する一対の長辺側側壁部と、前記短辺側土台部に対して連結される相対する一対の短辺側側壁部とを備え、
前記長辺側土台部は、前記短辺側土台部よりも前記底壁部からの突出長が長く構成され、前記短辺側側壁部が前記底壁部の上方に重なるようにして折り畳まれた状態で、前記長辺側側壁部を前記折り畳まれた短辺側側壁部の上方に重なるようにして折り畳み可能に構成され、
前記底壁構成部の下面側には、前記底壁部のうち前記一対の長辺側土台部間の範囲の下面から下方に突出する支持リブが設けられ、
前記長辺側側壁部の外面側には、前記長辺側側壁部の横幅方向に延びる横リブと、前記長辺側側壁部の高さ方向に延びる縦リブとを具備する補強リブが設けられ、
前記支持リブには、全ての前記側壁部が寝かせ位置とされた折畳み状態にある折畳み容器同士を（同じ向きで）上下に積み重ねた場合に、下側の折畳み容器の前記長辺側側壁部の前記補強リブが収容されるリブ収容部が設けられ、
前記底壁構成部の下面側には、前記底壁部の下面から下方に突出し、前記底壁部の長手方向一側辺部、又は、その近傍から、前記底壁部の長手方向他側辺部、又は、その近傍にかけて延びるガイド突部が設けられており、
前記長辺側側壁部の前記横リブは、前記長辺側側壁部の上辺部に沿って延びる上辺リブを備え、
前記リブ収容部は、前記折畳み状態にある折畳み容器同士を上下に積み重ねた場合に、下側の折畳み容器の前記長辺側側壁部の前記上辺リブが収容される上辺リブ収容部を備え、
前記寝かせ位置とされた一対の前記長辺側側壁部は、先に畳まれた前記短辺側側壁部の上方において、その上辺部を対向させるような格好で内側に畳まれて、互いに同じ高さ位置で維持され、
前記寝かせ位置とされた一対の前記長辺側側壁部の上辺部間には隙間が形成されるとともに、当該隙間に対し、上側に重ねられる折畳み容器の前記ガイド突部が収容されることを特徴とする折畳み容器。
【００１０】
支持リブに対して、長辺側側壁部の縦リブを収容可能とするためのリブ収容部（縦リブ収容部）を形成する場合、当該縦リブ収容部が、底壁部の長手方向に対して交差する方向（短手方向）に沿って延在することとなる。そこで、一対の長辺側側壁部の縦リブ収容部の間に支持リブが存在しない（一対の長辺側側壁部の縦リブ収容部の間には、長辺側側壁部の上辺に沿って延びる横リブを収容可能とするための上辺リブ収容部のみが存在する）場合、底壁構成部の長手方向両端部を支持した場合の底壁構成部の強度低下を招いてしまうことが懸念される。
【００１１】
この点、手段１によれば、底壁構成部の下面側において、底壁部の長手方向一側部から他側部にかけて延びるガイド突部が設けられているため、底壁部の長手方向において強度の高い芯が通るような格好となり、底壁構成部の長手方向両端部を支持した場合の底壁構成部の強度を高めることができる。従って、例えば、一対の短辺側側壁部を掴んで物品を収容した折畳み容器を持ち上げる等した場合に、底壁部のうち縦リブ収容部に対応する部位が変形してしまうといった事態を防止することができる。
【００１２】
また、ローラコンベアを利用して折畳み容器を搬送するべく、折畳み容器の長手方向と、折畳み容器の搬送方向とを一致させるようにして、折畳み容器をローラコンベアに載せた場合においては、ガイド突部によって、ローラコンベアのローラが縦リブ収容部に嵌ってしまうことを防止することができる。従って、ローラコンベアを使用しての折畳み容器の搬送効率の向上等を図ることができる。
【００１３】
尚、ガイド突部の底壁部下面からの突出長は、支持リブの底壁部下面からの突出長以下である。
【００１５】
また、折畳み状態の折畳み容器を段積みする場合に、ガイド突部に阻害されることなく、下側の折畳み容器の長辺側側壁部の補強リブを、上側の折畳み容器のリブ収容部に挿入させるようにして、好適に段積みすることができる。従って、ガイド突部の突出長を短くすることで、上記手段１の底壁部の強度向上やローラコンベアの搬送効率の向上等の作用効果が薄れてしまうといった事態を回避しつつ、折畳み状態において段積みされた折畳み容器の高さを抑制することができる。
【００１６】
手段２．前記ガイド突部は、当該ガイド突部の長手方向において互いに平行して延びる一対の長手リブと、前記長手リブの延在方向に対して交差する方向に延び、前記長手リブ間を連結する連結リブとを備えるとともに、
前記ガイド突部の前記底壁部からの突出長は、前記支持リブの前記底壁部からの突出長と同じであることを特徴とする手段１に記載の折畳み容器。
【００１７】
手段２によれば、ガイド突部自体の強度を高めることができ、ガイド突部自体が変形するといった事態を抑制することができる。また、ガイド突部の底壁部短手方向における横幅が広くなり、ローラコンベアで搬送される際の安定感の向上等を図ることができる。さらに、ガイド突部が、支持リブとともに接地して、折畳み容器を支持することとなるため、底壁部の変形等をより確実に防止することができる。
【図面の簡単な説明】
【００１８】
【図１】組立状態にある折畳み容器の斜視図である。
【図２】折畳み状態にある折畳み容器の斜視図である。
【図３】底壁構成部の上面側を示す斜視図である。
【図４】図３のＪ部を示す部分拡大斜視図である。
【図５】底壁構成部の下面側を示す斜視図である。
【図６】長辺側側壁部の外面側を示す斜視図である。
【図７】長辺側側壁部の一部断面を含む斜視図である。
【図８】短辺側側壁部の外面側を示す斜視図である。
【図９】短辺側側壁部の内面側を示す斜視図である。
【図１０】短辺側側壁部の一部断面を含む斜視図である。
【図１１】短辺側側壁部の一部断面を含む斜視図である。
【図１２】組立状態における折畳み容器の一部断面を含む斜視図である。
【図１３】折畳み状態で段積みされた折畳み容器を示す斜視図である。
【図１４】折畳み状態で段積みされた折畳み容器の一部断面を含む斜視図である。
【図１５】折畳み状態で段積みされた折畳み容器を、底壁部の短手方向に沿って切断した場合の断面図である。
【図１６】図１５の断面を含む段積みされた折畳み容器の斜視図である。
【図１７】折畳み状態で段積みされた折畳み容器を、底壁部の長手方向に沿って切断した場合の断面図である。
【図１８】図１７の断面を含む段積みされた折畳み容器の斜視図である。
【発明を実施するための形態】
【００１９】
以下に、一実施形態について図面を参照して説明する。図１、図３等に示すように、折畳み容器１は、略矩形板状をなす底壁部３と、底壁部３の各長辺部に沿って底壁部３からそれぞれ上方に突出する長辺側土台部４と、底壁部３の各短辺部に沿って底壁部３からそれぞれ上方に突出する短辺側土台部５とを具備する底壁構成部２と、各長辺側土台部４に対してそれぞれ回動可能に設けられた長辺側側壁部６と、各短辺側土台部５に対してそれぞれ回動可能に設けられた短辺側側壁部７とを備えている。本実施形態では、底壁構成部２、長辺側側壁部６、及び、短辺側側壁部７はポリプロピレンにより構成されている。
【００２０】
長辺側側壁部６及び短辺側側壁部７は、それぞれ長辺側土台部４及び短辺側土台部５の上方に立設される起立位置（図１参照）と、底壁部３の上方に折畳まれ、当該底壁部３と平行して延在する寝かせ位置（図２参照）との間を回動変位可能に構成されている。また、本実施形態では、長辺側土台部４の底壁部３からの突出長は、短辺側土台部５の底壁部３からの突出長よりも長くなっており、詳しくは後述する長辺側側壁部６を回動可能に支持するための長辺側軸受部４３の形成位置も、短辺側側壁部７を回動可能に支持するための短辺側軸受部５２の形成位置よりも上方に位置している。さらに、各短辺側土台部５は、相対する一対の長辺側土台部４の内面同士を連結するようにして設けられている。このため、本実施形態では、短辺側側壁部７を先に畳まないと、長辺側側壁部６を畳むことができないようになっている。そして、図２に示すように、全ての長辺側側壁部６及び短辺側側壁部７を寝かせ位置とした折畳み容器１の折畳み状態では、短辺側側壁部７が、底壁部３の上面に重なる（対面する）ようにして畳まれるとともに、長辺側側壁部６が、既に畳まれている短辺側側壁部７の上側に重なるようにして畳まれることとなる（図１８参照）。
【００２１】
加えて、本実施形態では、一対の短辺側側壁部７の寝かせ位置の高さが揃っているとともに、一対の長辺側側壁部６の寝かせ位置の高さが揃っている。これにより、折畳み状態にある折畳み容器１の高さを低くすることができ、運搬効率や保管効率の向上等を図ることができる。また、短辺側土台部５の底壁部３からの突出長は、短辺側側壁部７の厚みとほぼ同じであり、寝かせ位置にある短辺側側壁部７の上縁と、短辺側土台部５の上縁とがほぼ同じ高さとなっている。さらに、長辺側土台部４の底壁部３からの突出長は、長辺側側壁部６の厚みと短辺側側壁部７の厚みとの和とほぼ同じであり、寝かせ位置にある長辺側側壁部６の上縁と、長辺側土台部４の上面とがほぼ同じ高さとなっている。
【００２２】
図１、図６、図７等に示すように、各長辺側側壁部６は、長辺側土台部４の長手方向における長さとほぼ同じ幅を有し、折畳み容器１が箱型に組立てられた組立状態において当該長辺側側壁部６の内面を構成する略平板状の長辺側ベース板１１と、長辺側ベース板１１の上辺部から外方に延出する長辺側上辺リブ１２と、長辺側ベース板１１の下辺部から外方に延出する長辺側下辺リブ１３と、長辺側下辺リブ１３の下面から下方に突出する長辺側ヒンジ部１４とを備えている。長辺側ヒンジ部１４は、長辺側下辺リブ１３の下面から下方に向けて垂直に延出する略棒状の連結部１５と、連結部１５の先端部の両側面からそれぞれ長辺側側壁部６の横幅方向に沿って突出する一対の軸部１６とを備え、全体として略Ｔ字状をなしている。
【００２３】
加えて、図６等に示すように、長辺側ベース板１１には、両側部上部において長辺側ベース板１１の内面（起立位置では底壁部３の内周側を向き、寝かせ位置では下側を向く面）から突出する係止壁１７が設けられている。各係止壁１７には、長辺側側壁部６の横幅方向において貫通する挿入孔１８が形成されている。
【００２４】
図１、図８、図９等に示すように、各短辺側側壁部７は、短辺側土台部５の長手方向における長さとほぼ同じ横幅を有し、折畳み容器１が箱型に組立てられた組立状態において当該短辺側側壁部７の内面を構成する略平板状の短辺側ベース板２１と、短辺側ベース板２１の上辺部から外方に延出する短辺側上辺リブ２２と、短辺側ベース板２１の下辺部から外方に延出する短辺側下辺リブ２３と、短辺側下辺リブ２３の下面から下方に突出する短辺側ヒンジ部２４とを備えている。短辺側側壁部７の短辺側ヒンジ部２４は、長辺側ヒンジ部１４と同様に、連結部２５及び軸部２６を備えて略Ｔ字状をなしている。
【００２５】
また、短辺側ベース板２１には、両側部上部において、短辺側ベース板２１の外面から突出する挿入突起２７が設けられている。挿入突起２７は、前記長辺側側壁部６の係止壁１７に形成された挿入孔１８に対応して設けられている。そして、長辺側側壁部６を起立させた後、短辺側側壁部７を起立させることで、挿入突起２７が挿入孔１８に挿入されるとともに、短辺側ベース板２１の挿入突起２７の周辺部が、係止壁１７に支持されるようになっている（図１参照）。
【００２６】
また、図１、図８等に示すように、短辺側側壁部７の外面側には、短辺側上辺リブ２２の下方において、短辺側側壁部７の内倒れ等を防止するためのロック機構２８が設置されるロック機構設置部２９が設けられている。図１に示すように、ロック機構２８は、ロック機構設置部２９の横幅方向中央部に設けられる操作部３０と、操作部３０の両側方において短辺側側壁部７の横幅方向に沿ってスライド可能に構成され、短辺側ベース板２１のうち、折畳み容器１の組立状態において長辺側側壁部６の係止壁１７に当接して支持される部位の後方領域に対して出没可能な左右一対のスライド片３１とを備えている。
【００２７】
これに対し、長辺側側壁部６には、折畳み容器１の組立状態において、前記後方領域に突出したスライド片３１の先端部の内面と係止される係止凸部（図示略）が設けられている。また、操作部３０を操作することによって、一対のスライド片３１が連動し、スライド片３１と係止凸部との係止状態を解除することができるようになっている。尚、スライド片３１及び操作部３０については、図示しない弾性片によって、スライド片３１と係止凸部との係止状態が維持される側に付勢されている。
【００２８】
さらに、図８、図１０に示すように、短辺側側壁部７の外面側には、ロック機構設置部２９の下方において、短辺側ベース板２１の外面から外方に突出し、短辺側上辺リブ２２とほぼ平行するようにして、短辺側ベース板２１の左右一側部から他側部にかけて延びる中間横リブ３２が設けられている。加えて、短辺側ベース板２１には、中間横リブ３２の下方（短辺側ベース板２１の高さ方向中間位置）、かつ、短辺側ベース板２１の横幅方向中央部を含む部位において、短辺側ベース板２１の厚み方向に貫通し、組立状態の折畳み容器１を持ち運ぶ際に作業者が手を差し入れて折畳み容器１を持ち上げ可能とする持ち手用開口部３３が形成されている。
【００２９】
さらに、図９に示すように、短辺側ベース板２１の内面側には、持ち手用開口部３３よりも下方の部位において、持ち手用開口部３３を閉塞する持ち手カバー３４（図１参照）を係止するためのカバー係止部３５が設けられている。持ち手カバー３４は柔軟な材料（例えば、低密度ポリエチレン）によって構成され、持ち手用開口部３３に差し入れられる作業者の手で押圧されることで、持ち手カバー３４は持ち手用開口部３３を開口させるようにして追従的に変位・変形する。また、短辺側ベース板２１の内面側には、持ち手カバー３４が装着される範囲において、その内面を持ち手カバー３４の厚み分だけ外方に凹ませるようにして形成されたカバー装着部３６が設けられている。さらに、カバー装着部３６の内周面と、カバー装着部３６に装着された持ち手カバー３４との間には、ほぼ隙間がない構成となっている。このため、カバー装着部３６に装着された持ち手カバー３４の内面と、短辺側ベース板２１の内面とが面一（連続面）となっている。尚、カバー係止部３５はカバー装着部３６において、短辺側ベース板２１の内面よりも内方に突出することがないように形成されている。
【００３０】
図１、図３、図４等に示すように、長辺側土台部４は、組立状態における折畳み容器１の内面を構成し、底壁部３の長辺部に沿って、底壁部３の上面から上方に突出する内壁部４１と、内壁部４１の上縁部から外方に延出する上壁部４２とを備えている。また、各長辺側土台部４には、長辺側側壁部６の長辺側ヒンジ部１４の軸部１６を軸支する長辺側軸受部４３が形成されている。長辺側軸受部４３は、内壁部４１の外面側に長辺側ヒンジ部１４の先端部を上方から挿入可能とするべく上壁部４２を切欠いて長辺側土台部４を上方に開口させるとともに、長辺側ヒンジ部１４の連結部１５の回動変位を許容させるべく内壁部４１を切欠いて開口部を形成し、当該開口部の両側方において内壁部４１の上縁部から外方に突出するフック部４４を設けることで構成されている。そして、軸部１６が長辺側軸受部４３のフック部４４の下面側に引っ掛かって軸支されることによって、長辺側側壁部６が長辺側土台部４に回動可能に支持されている。
【００３１】
図１、図３、図４等に示すように、短辺側土台部５は、組立状態における折畳み容器１の内面を構成し、底壁部３の短辺部に沿って、底壁部３の上面から上方に突出する内壁部５１と、短辺側側壁部７の短辺側ヒンジ部２４の軸部２６を軸支する短辺側軸受部５２とを備えている。短辺側軸受部５２についても、基本的に長辺側軸受部４３と同様に構成されており、短辺側ヒンジ部２４の軸部２６が短辺側軸受部５２のフック部５３に軸支されるようになっている。また、短辺側土台部５には、上方かつ外方に開口し、長辺側側壁部６を寝かせ位置とした場合に、長辺側側壁部６の係止壁１７や前記係止凸部が収容される係止壁収容凹部５４が形成されている（図１８等参照）。これにより、長辺側側壁部６を寝かせ位置へと変位させる場合に、係止壁１７等が短辺側土台部５に干渉してしまうことを回避するとともに、寝かせ位置とされた長辺側側壁部６に対して水平方向に力が付加された場合に、長辺側側壁部６の長辺側ヒンジ部１４へ負担をかけることなく、長辺側側壁部６のずれ移動を防止することができる。
【００３２】
さて、図８、図１０、図１１等に示すように、本実施形態の短辺側側壁部７は、短辺側ベース板２１の横幅方向両側部において、それぞれ短辺側ベース板２１の外面に対向しつつ、短辺側側壁部７の高さ方向に沿って延びる側部補強板部６１と、各側部補強板部６１のうち短辺側ベース板２１の横幅方向中央部側の側辺部と、短辺側ベース板２１の外面との間を連結する連結板部６２とを備えている。側部補強板部６１の上辺部は中間横リブ３２の下面と連結され、側部補強板部６１の下辺部は短辺側下辺リブ２３の上面と連結されている。尚、短辺側ベース板２１と、側部補強板部６１と、連結板部６２とによって囲まれる補強部内空間６３は、短辺側ベース板２１の側方に向けて開口している。加えて、補強部内空間６３（を構成する壁部等）は、短辺側ベース板２１の横幅方向にスライド可能なスライド金型によって成形されている。
【００３３】
また、補強部内空間６３において、短辺側ベース板２１と、側部補強板部６１と、連結板部６２との間を連結する空間内補強リブ６４が設けられている。空間内補強リブ６４は、短辺側側壁部７の高さ方向に対して直交する方向に延びている。さらに、空間内補強リブ６４は、短辺側側壁部７の高さ方向において、互いに所定距離を隔てて複数設けられている。
【００３４】
加えて、図１０に示すように、短辺側側壁部７には、持ち手用開口部３３の両側方において、それぞれ短辺側ベース板２１の外面に対向しつつ、短辺側側壁部７の横幅方向に沿って延びる横架補強板部６５が設けられている。本実施形態では、各横架補強板部６５は、上辺部が中間横リブ３２の下面と連結されているとともに、短辺側ベース板２１の側辺部側の端部が、各側部補強板部６１の側辺上端部と連結されている。さらに、各横架補強板部６５のうち短辺側ベース板２１の横幅方向中央部側の短部は、持ち手用開口部３３の左右の側縁部に沿ってそれぞれ短辺側ベース板２１から外方に突設された持ち手縦縁リブ６６と連結されている。また、横架補強板部６５と、短辺側ベース板２１と、中間横リブ３２とによって囲まれる空間は下方に開口しており、短辺側側壁部７の高さ方向にスライド可能なスライド金型によって成形されている。
【００３５】
さらに、図８、図１０に示すように、短辺側側壁部７には、持ち手用開口部３３の下縁部に沿って短辺側ベース板２１から外方に突設された持ち手下縁リブ６７の先端縁の左右両端部から、それぞれ下方（短辺側下辺リブ２３側）に向けて、短辺側ベース板２１の外面に対向しつつ延在する中間補強板部６８が設けられている。各中間補強板部６８は、その短辺側ベース板２１の横幅方向両側部側の辺部が、前記各持ち手縦縁リブ６６をそれぞれ下方に延長させるようにして設けられた中間第１連結板部６９と連結されている。加えて、中間補強板部６８のうち短辺側側壁部７の横幅方向中央部の辺部と、短辺側ベース板２１との間を連結する中間第２連結板部７０が設けられている。
【００３６】
また、本実施形態では、中間補強板部６８と、短辺側ベース板２１と、中間第１連結板部６９と、中間第２連結板部７０とによって囲まれる中部補強空間７１（を構成する壁部等）が３つの金型によって成形されるようになっている。より具体的に説明すると、図９に示すように、短辺側ベース板２１には、中間補強板部６８の上部に対向する部位において中間第１開口部７２が形成されており、中部補強空間７１の上部は、短辺側側壁部７の内面側を成形する金型によって成形される。本実施形態では、中間第１開口部７２は、持ち手カバー３４が装着されるカバー装着部３６に形成されており、持ち手カバー３４が装着されることにより、中間第１開口部７２は持ち手カバー３４によって閉塞されることとなる。
【００３７】
さらに、図８等に示すように、中間補強板部６８には、中間第１開口部７２の下方位置において中間第２開口部７３が形成されており、中部補強空間７１の中間部は、短辺側側壁部７の外面側を成形する金型によって成形される。加えて、短辺側下辺リブ２３には、中部補強空間７１を下方に開口させるための中間第３開口部７４が形成されており、中部補強空間７１の下部は、短辺側側壁部７の下面側を成形する金型によって成形される。
【００３８】
また、中間補強板部６８を上方へ延長させるようにして延び、中間補強板部６８の上辺部と、横架補強板部６５の短辺側側壁部７の横幅方向中央部側の側辺部との間を連結する連結壁７５が設けられている。本実施形態の連結壁７５は、持ち手用開口部３３の両側下部を閉塞するようにして略三角形状をなしている。
【００３９】
さらに、短辺側ベース板２１の外面から中間補強板部６８までの距離と、短辺側ベース板２１の外面から横架補強板部６５の外面までの距離と、短辺側ベース板２１の外面から側部補強板部６１及び連結壁７５の外面までの距離とが同じとなっている。本実施形態では、図１に示すように、左側の側部補強板部６１と、左側の中間補強板部６８と、該中間補強板部６８から上方に延出する連結壁７５と、該連結壁７５に連続する横架補強板部６５とに跨るようにして、これらの外面に対し、カードの下部を差し込んで支持することのできる略シート状のカード差し７６が貼着されている。
【００４０】
また、図５等に示すように、底壁構成部２の下面側には、底壁部３のうち上面側において長辺側土台部４及び短辺側土台部５が形成されている土台形成範囲８１よりも内周側の部位の下面から下方に突出する支持リブ８２と、土台形成範囲８１において底壁部３の下面から下方に突出する底部補強部８３とが設けられている。支持リブ８２の底壁部３からの突出長と、底部補強部８３の底壁部３からの突出長とは同じ長さとなっており、底部補強部８３が支持リブ８２とともに折畳み容器１を支持する構成となっている。
【００４１】
本実施形態では、土台形成範囲８１のうち、各長辺側土台部４に対応する部位にそれぞれ４つの底部補強部８３（以下、「長辺側底部補強部８４」とも称する）が設けられ、各短辺側土台部５に対応する部位にそれぞれ２つの底部補強部８３（以下、「短辺側底部補強部８７」とも称する）が設けられている。尚、長辺側底部補強部８４は、底壁部３の短手幅方向中央部側に開口する断面略コ字状をなし、その内側に設けられた縦リブによって補強されている。また、短辺側底部補強部８７は、下方に開口する筒状をなしている。
【００４２】
その一方で、図２等に示すように、折畳み状態にある折畳み容器１の上面側には、折畳み容器１の折畳み状態において上方に開口し、折畳み状態にある折畳み容器１同士を同じ向きで上下に積み重ねた（段積みした）場合に、上側に重ねられた折畳み容器１の底部補強部８３が収容される収容凹部８８が設けられている。
【００４３】
より具体的には、底壁部３の各長辺部に沿って設けられた４つの長辺側底部補強部８４のうち、底壁部３の長手幅方向両側部側に位置する２つの長辺側底部補強部８４（以下、「第１長辺側底部補強部８５」とも称する）を収容するための収容凹部８８（以下、「第１長辺側収容凹部８９」とも称する）は、図２、図１５、図１６等に示すように、長辺側土台部４に形成された長辺側軸受部４３のうち長辺側土台部４の長手方向両端部側に形成された長辺側軸受部４３、及び、当該長辺側軸受部４３に軸支されている長辺側側壁部６の長辺側ヒンジ部１４によって構成されている。
【００４４】
つまり、第１長辺側底部補強部８５は、第１長辺側収容凹部８９を構成する長辺側軸受部４３に対応する位置において、該長辺側軸受部４３に挿入可能な大きさ・形状をなしており、第１長辺側収容凹部８９を構成する長辺側ヒンジ部１４には、第１長辺側底部補強部８５の長辺側軸受部４３への挿入を許容するべく、先端部に切欠き部９１（図７、図１６等参照）が形成されている。尚、本実施形態では、長辺側ヒンジ部１４（及び短辺側ヒンジ部２４）と、長辺側軸受部４３（及び短辺側軸受部５２）とによってヒンジ手段が構成され、第１長辺側収容凹部８９によってヒンジ対応収容凹部が構成されている。
【００４５】
また、図６等に示すように、本実施形態の長辺側ヒンジ部１４は、長辺側側壁部６の横幅方向中央部と、両端部近傍部位と、それらの各中間部位とにおいて合計で５つ設けられている。そのうち、中央の長辺側ヒンジ部１４以外の長辺側ヒンジ部１４には、連結部１５において、長辺側側壁部６の厚み方向に貫通する取付孔９２が形成されている。
【００４６】
これに対し、図１５、図１６に示すように、かかる取付孔９２には、長辺側軸受部４３を形成するために内壁部４１に形成された開口部に対応した矩形板状をなす閉塞板９４と、閉塞板９４の裏面から突出し、先端部に爪部９５を有する係止片９６とを備える隙間カバー９３が取付けられている。そして、図１、図１２に示すように、折畳み容器１が組立状態とされた場合には、取付孔９２に取付けられた隙間カバー９３によって、長辺側ヒンジ部１４及び長辺側軸受部４３が折畳み容器１の内側に露出することが防止されるようになっている。尚、本実施形態では、長辺側ヒンジ部１４、及び、これに取付けられた隙間カバー９３によって、ヒンジ対応衝立壁部が構成されている。
【００４７】
また、取付孔９２が形成されていない長辺側ヒンジ部１４については、折畳み容器１の組立状態において内側を向く面が、長辺側ベース板１１の内面と面一となるように構成されている。その一方で、取付孔９２が形成された長辺側ヒンジ部１４は、隙間カバー９３の閉塞板９４の厚み分だけ、長辺側ベース板１１の内面よりも外方にずれた位置に設けられている。これにより、隙間カバー９３の表面と、長辺側ベース板１１の内面、ひいては、長辺側土台部４（内壁部４１）の内面とが面一となるように構成されている。
【００４８】
尚、各短辺側側壁部７に関しても、５つの短辺側ヒンジ部２４が設けられ、中央の短辺側ヒンジ部２４以外の短辺側ヒンジ部２４に対して取付孔９２が形成されるとともに、隙間カバー９３が取付けられている。
【００４９】
また、図２、図１３、図１４に示すように、長辺側土台部４の上面には、長辺側軸受部４３とは別に、上方に開口し、折畳み状態にある折畳み容器１同士を段積みした場合に、上側に重ねられた折畳み容器１の第１長辺側底部補強部８５以外の各長辺側底部補強部８４（以下、「第２長辺側底部補強部８６」とも称する）をそれぞれ収容するための収容凹部８８（以下、「第２長辺側収容凹部９０」とも称する）が形成されている。
【００５０】
さらに、図４、図１４に示すように、長辺側土台部４の上面には、第２長辺側収容凹部９０に対して底壁部３の短手幅方向中央部側に形成され、折畳み容器１が組立状態とされた場合に、第２長辺側収容凹部９０が折畳み容器１の内側に露出することを防止する土台対応衝立壁部９７が設けられている。本実施形態では、長辺側土台部４の上面（上壁部４２）のうち内壁部４１側の部位をそのまま残すようにして、長辺側土台部４の上面に対し、上方及び外方（底壁部３の短手幅方向における側方）に開口する第２長辺側収容凹部９０を形成することにより、その内方（底壁部３の短手幅方向における中央部側）に土台対応衝立壁部９７が形成されるようになっている。このため、土台対応衝立壁部９７の上辺部は、長辺側土台部４（上壁部４２）の上面と面一となっている。
【００５１】
尚、第２長辺側底部補強部８６は、第１長辺側底部補強部８５よりも、底壁部３の短手幅方向の側方側に位置している。また、本実施形態では、第２長辺側収容凹部９０によって土台対応収容凹部が構成されている。
【００５２】
加えて、図６、図１２に示すように、長辺側側壁部６には、長辺側ベース板１１の下辺部から下方に突出する隙間防止凸部９８が設けられている。本実施形態では、隙間防止凸部９８は、長辺側側壁部６のうち、折畳み容器１の組立状態において短辺側側壁部７と重ならない範囲（一対の短辺側側壁部７の間の範囲）の全域に設けられている。
【００５３】
これに対し、図４に示すように、長辺側土台部４の上壁部４２と内壁部４１との境界部には、長辺側土台部４の長手方向に沿って、起立位置とされた長辺側側壁部６の隙間防止凸部９８を収容する隙間防止凹部９９が形成されている。当該構成によって、起立位置とされた長辺側側壁部６と、長辺側土台部４との突き合わせ部位に関して、意匠性の向上や位置ずれの防止等を図ることができる。尚、第２長辺側収容凹部９０の深さ（上壁部４２から底面までの距離）は、隙間防止凹部９９の深さよりも深く構成されている。加えて、図８に示すように、短辺側側壁部７に関しても、短辺側ベース板２１の下辺部から下方に突出する隙間防止凸部９８が設けられるとともに、図４に示すように、短辺側土台部５には、折畳み容器１の組立状態において、該隙間防止凸部９８が挿入される隙間防止凹部９９が形成されている。
【００５４】
また、図２、図１７、図１８に示すように、折畳み容器１の折畳み状態において上方に露出する長辺側側壁部６の外面側には、両側辺部において、折畳み状態にある折畳み容器１同士を段積みした場合に、上側に重ねられた折畳み容器１の短辺側底部補強部８７が収容される交差辺対応収容凹部としての短辺側収容凹部１００が設けられている。尚、短辺側収容凹部１００については、長辺側ベース板１１の外面と、折畳み状態にある折畳み容器１同士を段積みする場合に、短辺側底部補強部８７の挿入を許容し、かつ、底壁部３の長手幅方向において短辺側底部補強部８７と略当接するようにして、長辺側ベース板１１の外面に立設された補強リブ１０１とによって構成されている。
【００５５】
尚、本実施形態では、長辺側側壁部６の長辺側上辺リブ１２、及び、短辺側側壁部７の短辺側上辺リブ２２において、組立状態にある折畳み容器１同士を段積みする場合に、上側に重ねられた折畳み容器１の底部補強部８３が収容される組立時収容凹部１０２が形成されている。そして、組立状態にある折畳み容器１同士を段積みした場合、上側の折畳み容器１の支持リブ８２が、下側の折畳み容器１の長辺側側壁部６及び短辺側側壁部７の内周側に挿入され、上側の折畳み容器１の底部補強部８３が、下側の折畳み容器１の組立時収容凹部１０２に収容されるとともに、上側の折畳み容器１の底壁部３（土台形成範囲８１）の下面が、下側の折畳み容器１の長辺側上辺リブ１２及び短辺側上辺リブ２２に当接して、支持されるようになっている。
【００５６】
図２、図６等に示すように、長辺側側壁部６の外面側に設けられる補強リブ１０１としては、長辺側上辺リブ１２、及び、長辺側下辺リブ１３の他にも、長辺側上辺リブ１２と、長辺側下辺リブ１３との間を連結するようにして、長辺側側壁部６の高さ方向に沿って延びる縦リブ１１１が設けられている。また、本実施形態では、長辺側側壁部６の上辺部付近をより一層強化させるべく、長辺側上辺リブ１２と所定距離を隔てて、長辺側上辺リブ１２と平行して延びる平行リブ１１２が２本設けられている。本実施形態では、長辺側上辺リブ１２、平行リブ１１２、縦リブ１１１、及び、長辺側下辺リブ１３の一部（長辺側ヒンジ部１４との連結部位、及び、長手方向両側部）の外辺部（長辺側ベース板１１からの突出方向先端縁）が、折畳み容器１の折畳み状態において、長辺側土台部４の上面とほぼ同じ高さとなるように構成されている。尚、本実施形態では、長辺側上辺リブ１２、長辺側下辺リブ１３、及び、平行リブ１１２が、横リブを構成する。
【００５７】
さて、図５、図１５〜図１８に示すように、支持リブ８２には、折畳み状態にある折畳み容器１同士を段積みした場合に、下側の折畳み容器１の長辺側側壁部６の補強リブ１０１が収容（挿入）されるリブ収容部１１３が設けられている。より具体的に、リブ収容部１１３は、各長辺側側壁部６の長辺側上辺リブ１２、及び、２本の平行リブ１１２をまとめて収容する上辺リブ収容部１１４と、各縦リブ１１１をそれぞれ収容する縦リブ収容部１１５と、長辺側下辺リブ１３を収容する下辺リブ収容部１１６とを有している。当該リブ収容部１１３を設けることによって、折畳み状態にある折畳み容器１を積み重ねる際に、下側の折畳み容器１の長辺側側壁部６の補強リブ１０１と、上側の折畳み容器１の支持リブ８２との干渉を避けることができる。従って、上下に積み重ねられた折畳み容器１の高さを抑制しつつ、折畳み容器１同士の水平方向へのずれ移動を防止するといった段積みを行うことができるようになっている。さらには、上記のように、上側の折畳み容器１の底部補強部８３を、下側の折畳み容器１の収容凹部８８に確実に収容させることができる。
【００５８】
また、図５に示すように、本実施形態では、底壁構成部２の下面側において、底壁部３の下面から下方に突出し、底壁部３の短手幅方向中央部を通るようにして、底壁部３の長手方向に沿って延びるガイド突部１１８が設けられている。本実施形態では、底壁部３のうち土台形成範囲８１の内周側の範囲において、底壁部３の長手方向一側辺部近傍から他側辺部近傍にかけて（一対の短辺側土台部５の間に対応する部位において）連続して延在している。
【００５９】
加えて、ガイド突部１１８は、当該ガイド突部１１８の長手方向において互いに平行して延びる一対の長手リブ１１９と、長手リブ１１９の延在方向に対して交差する方向に延び、長手リブ１１９間を連結する連結リブ１２０とを備えている。さらに、ガイド突部１１８の底壁部３からの突出長は、支持リブ８２の底壁部３からの突出長と同じとなっている。
【００６０】
さらに、図２、図１６に示すように、本実施形態では、一対の長辺側土台部４間の距離は、長辺側ベース板１１の高さの２倍の長さよりも長く構成されており、折畳み容器１の折畳み状態においては、寝かせ位置とされた一対の長辺側側壁部６の上辺部（長辺側上辺リブ１２）間に隙間１１７が形成されるようになっている。つまり、本実施形態では、図５等に示すように、ガイド突部１１８は、一対の長辺側側壁部６の各長辺側上辺リブ１２等を収容するための一対の上辺リブ収容部１１４の間に位置するようにして形成されている。そして、図１５、図１６に示すように、折畳み状態にある折畳み容器１を段積みした場合に、下側の折畳み容器１の一対の長辺側側壁部６の上辺部間に形成された前記隙間１１７に対し、上側の折畳み容器１のガイド突部１１８が収容されるようになっている。
【００６１】
以上詳述したように、本実施形態によれば、底壁構成部２の下面側に設けられる支持リブ８２には、折畳み状態にある折畳み容器１を段積みする場合に、下側の折畳み容器１の一対の長辺側側壁部６の外面側に形成された補強リブ１０１を収容する（挿入を許容する）リブ収容部１１３が設けられている。これにより、折畳み容器１の折畳み状態において、上方を向いている長辺側側壁部６の外面（補強リブ１０１の外辺部）と、長辺側土台部４の上面とが同じ高さとなるように構成されていても、折畳み状態の折畳み容器１を積み重ねる際に、上側の折畳み容器１の支持リブ８２と、下側の折畳み容器１の長辺側側壁部６の補強リブ１０１との干渉を避けることができる。従って、折畳み状態にある折畳み容器１の長辺側側壁部６の内側に上方から支持リブ８２を挿入させるようにして折畳み容器１を重ねることができ、高さを抑制しつつ、水平方向への位置ずれを防止するといった折畳み状態における折畳み容器１の段積みを確実に行うことができる。
【００６２】
ところで、支持リブ８２に対して、長辺側側壁部６の縦リブ１１１を収容可能とするための縦リブ収容部１１５を形成する場合、当該縦リブ収容部１１５が、底壁部３の長手方向に対して直交する方向（短手方向）に沿って延在することとなる。そこで、一対の長辺側側壁部６の縦リブ収容部１１５の間に支持リブ８２が存在しない（一対の長辺側側壁部６の縦リブ収容部１１５の間には、長辺側上辺リブ１２を収容可能とするための上辺リブ収容部１１４のみが存在する）場合、底壁構成部２の長手方向両端部を支持した場合の底壁構成部２の強度低下を招いてしまうことが懸念される。
【００６３】
この点、本実施形態によれば、底壁構成部２の下面側において、底壁部３の長手方向一側部近傍から他側部近傍にかけて延びるガイド突部１１８が設けられているため、底壁部３の長手方向において強度の高い芯が通るような格好となり、底壁構成部２の長手方向両端部を支持した場合の底壁構成部２の強度を高めることができる。従って、一対の短辺側側壁部７に形成された持ち手用開口部３３に手を差し入れて、その上方部位を握り、物品を収容した折畳み容器１を持ち上げる等した場合に、底壁部３のうち縦リブ収容部１１５に対応する部位が変形してしまうといった事態を防止することができる。
【００６４】
また、ローラコンベアを利用して折畳み容器１を搬送するべく、折畳み容器１の長手方向と、折畳み容器１の搬送方向とを一致させるようにして、折畳み容器１をローラコンベアに載せた場合においては、ガイド突部１１８によって、ローラコンベアのローラが縦リブ収容部１１５に嵌ってしまうことを防止することができる。従って、ローラコンベアを使用しての折畳み容器１の搬送効率の向上等を図ることができる。
【００６５】
さらに、折畳み容器１を折畳み状態とした場合に、寝かせ位置とされた一対の長辺側側壁部６の上辺部間には隙間１１７が形成されるとともに、折畳み状態の折畳み容器１を段積みした場合に、当該隙間１１７に対し、上側に重ねられる折畳み容器１のガイド突部１１８が収容されるようになっている。このため、折畳み状態の折畳み容器１を段積みする場合に、ガイド突部１１８に阻害されることなく、下側の折畳み容器１の長辺側側壁部６の補強リブ１０１を、上側の折畳み容器１のリブ収容部１１３に挿入させるようにして、好適に段積みすることができる。従って、ガイド突部１１８の突出長を短くすることで、上記した底壁部３の強度向上やローラコンベアの搬送効率の向上等の作用効果が薄れてしまうといった事態を回避しつつ、折畳み状態において段積みされた折畳み容器１の高さを抑制することができる。
【００６６】
加えて、ガイド突部１１８は、当該ガイド突部１１８の長手方向において互いに平行して延びる一対の長手リブ１１９と、長手リブ１１９の延在方向に対して交差する方向に延び、長手リブ１１９間を連結する連結リブ１２０とを備えている。このため、ガイド突部１１８自体の強度を高めることができ、ガイド突部１１８自体が変形するといった事態を抑制することができる。また、ガイド突部１１８の底壁部３短手方向における横幅が広くなり、ローラコンベアで搬送される際の安定感の向上等を図ることができる。さらに、ガイド突部１１８の底壁部３からの突出長は、支持リブ８２の底壁部３からの突出長と同じとなっている。これにより、ガイド突部１１８が、支持リブ８２とともに接地して、折畳み容器１を支持することとなるため、底壁部３の変形等をより確実に防止することができる。
【００６７】
また、本実施形態の底壁構成部２は、底壁部３のうち上面側において長辺側土台部４及び短辺側土台部５が形成されている土台形成範囲８１よりも内周側の部位の下面から下方に突出する支持リブ８２を備えている。これによって、組立状態にある折畳み容器１同士を段積みした場合に、上側の折畳み容器１の支持リブ８２を、下側の折畳み容器１の長辺側側壁部６及び短辺側側壁部７の内周側に挿入（略嵌合）させるとともに、上側の折畳み容器１の底壁部３の土台形成範囲８１における下面を、下側の折畳み容器１の長辺側側壁部６及び短辺側側壁部７の上辺部に当接させて、支持させることができる。
【００６８】
さらに、底壁構成部２は、土台形成範囲８１において底壁部３の下面から下方に突出する底部補強部８３を備えている。これによって、底壁部３の外周部であり、折畳み容器１の組立状態において各長辺側側壁部６及び短辺側側壁部７を支持することとなる土台形成範囲８１の変形を抑制することができる。特に、本実施形態では、底部補強部８３の底壁部３からの突出長が支持リブ８２の突出長と同じであり、底部補強部８３についても支持リブ８２とともに折畳み容器１を支持する構成であることから、底壁部３の土台形成範囲８１の変形を抑制するといった作用効果がより一層奏されることとなる。
【００６９】
また、長辺側側壁部６の上辺部（長辺側上辺リブ１２）、及び、短辺側側壁部７の上辺部（短辺側上辺リブ２２）には、組立状態にある折畳み容器１同士を段積みした場合に、上側の折畳み容器１の底部補強部８３を収容する組立時収容凹部１０２が設けられている。これにより、組立状態にある折畳み容器１同士を段積みした場合に、上側の折畳み容器１の底部補強部８３が、長辺側側壁部６及び短辺側側壁部７の上辺部に干渉し、支持リブ８２を長辺側側壁部６及び短辺側側壁部７の内周側に挿入することができなくなってしまうといった事態を回避することができる。
【００７０】
また、折畳み状態にある折畳み容器１の上面側には、折畳み状態にある折畳み容器１同士を段積みした場合に、上側の折畳み容器１の底部補強部８３を収容する収容凹部８８が設けられている。
【００７１】
より具体的には、底壁部３の各長辺部に沿って設けられる長辺側底部補強部８４のうち、底壁部３の長手方向両端部近傍位置（底壁部３のコーナー部近傍位置）に設けられる第１長辺側底部補強部８５を収容するための第１長辺側収容凹部８９については、長辺側土台部４に形成された長辺側軸受部４３と、これに軸支される長辺側ヒンジ部１４とによって構成されている。このため、長辺側軸受部４３（長辺側ヒンジ部１４）、及び、底部補強部８３（第１長辺側底部補強部８５）をともに、底壁構成部２のコーナー部に極力近接させて設けることができる。従って、例えば、底部補強部８３（第１長辺側底部補強部８５）を底壁構成部２のコーナー部から比較的大きく離れた位置に形成する場合のように、当該底部補強部８３及び第１長辺側底部補強部８５によって長辺側土台部４に連結されている長辺側側壁部６の両側部近傍を支持することができず、当該長辺側側壁部６の両側部において比較的大きながたつきが生じてしまうといった事態を回避することができる。さらに、例えば、底部補強部８３を底壁構成部２のコーナー部から比較的大きく離れた位置に形成する場合のように、底壁部３のコーナー部を底部補強部８３で支持することができず、当該底壁部３のコーナー部が比較的変形し易くなってしまうといった事態を回避することができる。結果として、底壁部３のコーナー部の変形を防止するとともに、長辺側側壁部６の回動動作の安定性を高めることができる。
【００７２】
また、長辺側土台部４には、長辺側軸受部４３とは別に、長辺側土台部４の上面において上方に開口するようにして形成され、畳み状態にある折畳み容器同士を段積みした場合に、上側に重ねられた折畳み容器１の第２長辺側底部補強部８６が収容される第２長辺側収容凹部９０が設けられている。このように、底部補強部８３（第２長辺側底部補強部８６）を収容可能な第２長辺側収容凹部９０を、長辺側軸受部４３とは関係なく（底部補強部８３を収容するだけの目的で）形成することにより、（ヒンジの機能等を気にすることなく）第２長辺側収容凹部９０の形状を、より底部補強部８３（第２長辺側底部補強部８６）に合致させることができる。従って、折畳み状態にある折畳み容器１同士を段積みした状態において、下側の折畳み容器１の第２長辺側収容凹部９０の内側面と、上側の折畳み容器１の第２長辺側底部補強部８６の外周面とを略当接させることができ、段積みされた折畳み容器１同士の水平方向へのずれをより確実に防止することができる。また、第２長辺側収容凹部９０は長辺側土台部４に形成されているため、例えば、長辺側側壁部６に形成された収容凹部８８の内側面で底部補強部８３の外周面を支持して該底部補強部８３の水平方向へのずれ移動を規制するような場合に比べ、位置ずれを防止する効果が高く、段積み状態の安定化を図ることができる。
【００７３】
さらに、長辺側土台部４には、第２長辺側収容凹部９０に対して底壁部３の短手幅方向中央部側に隣接するようにして、折畳み容器１が組立状態とされた場合に、第２長辺側収容凹部９０が折畳み容器１の内側に露出することを防止する土台対応衝立壁部９７が設けられている。このため、折畳み容器１が組立状態とされた場合に、第２長辺側収容凹部９０が折畳み容器１の内側に露出し、底壁構成部２（長辺側土台部４）と、長辺側側壁部６との間に隙間が形成されてしまうといった事態を防止することができる。従って、折畳み容器１に対して物品を出し入れする場合等において、物品が折畳み容器１の内側面に形成された隙間（段差）に引っ掛かってしまう等といった事態を防止することができる。
【００７４】
加えて、本実施形態では、長辺側軸受部４３及び長辺側ヒンジ部１４（主に切欠き部９１）によって構成される第１長辺側収容凹部８９に関しては、折畳み容器１が組立状態とされた場合に、当該第１長辺側収容凹部８９を構成する長辺側ヒンジ部１４と、該長辺側ヒンジ部１４に取付けられる隙間カバー９３とによって、折畳み容器１の内側に露出することが防止されるようになっている。これにより、折畳み容器１が組立状態とされた場合に、第１長辺側収容凹部８９が折畳み容器１の内側に露出し、底壁構成部２（長辺側土台部４）と、長辺側側壁部６との間に隙間が形成されてしまうといった事態を防止することができる。
【００７５】
特に、長辺側ヒンジ部１４に対し、あえて取付孔９２を形成し、当該取付孔９２に対して隙間カバー９３を取付けることにより、長辺側ヒンジ部１４と長辺側軸受部４３との間の隙間をより的確に閉塞することができる。従って、折畳み容器１に対して物品を出し入れする場合に、物品が折畳み容器１の内側面に形成された隙間（段差）に引っ掛かる等といった事態をより確実に防止することができる。また、長辺側ヒンジ部１４に隙間カバー９３を取付けることによって、長辺側ヒンジ部１４の強度の向上等を図ることができる。
【００７６】
さらに、長辺側側壁部６の外面側には、両側辺部において、折畳み状態にある折畳み容器１を段積みした場合に、上側に重ねられた折畳み容器１の短辺側底部補強部８７が収容される短辺側収容凹部１００が設けられている。このため、底壁部３の土台形成範囲８１のうち、折畳み容器１の折畳み状態において上方に露出する長辺側土台部４の裏側にだけでなく、短辺側土台部５の裏側にも底部補強部８３（短辺側底部補強部８７）を設けることができる。従って、底壁部３の土台形成範囲８１の変形を抑制するといった作用効果がより一層奏されることとなる。
【００７７】
また、本実施形態の短辺側側壁部７は、短辺側ベース板２１の横幅方向両側部において、それぞれ短辺側ベース板２１の外面に対向しつつ、短辺側側壁部７の高さ方向に沿って延びる側部補強板部６１と、各側部補強板部６１のうち短辺側ベース板２１の横幅方向中央部側の側辺部と、短辺側ベース板２１の外面との間を連結する連結板部６２とを備えている。このため、短辺側側壁部７の両側部が、短辺側ベース板２１と、側部補強板部６１との２重壁構造となることから、側壁部の圧縮強度を飛躍的に高めることができる。また、短辺側ベース板２１と、側部補強板部６１と、連結板部６２とによって囲まれる補強部内空間６３が、短辺側ベース板２１の側方に向けて開口していることから、補強部内空間６３（を構成する面）をスライド金型によって成形することができる。従って、例えば、補強部内空間６３をガス成形することで短辺側側壁部７の両側部を２重壁構造とするような場合に比べ、生産性（成形性）の向上、製造コストの抑制等を図ることができる。さらに、例えば、補強部内空間６３を成形するスライド金型を、短辺側側壁部７の高さ方向（側部補強板部６１の長手方向）に型抜きするような場合に比べ、かかるスライド金型の強度を向上させるとともに、型抜き作業性の向上を図ることができる。
【００７８】
加えて、補強部内空間６３において、短辺側ベース板２１と、側部補強板部６１と、連結板部６２との間を連結する空間内補強リブ６４が設けられている。このため、側部補強板部６１及び連結板部６２の変形や短辺側ベース板２１に対する相対変位等をより確実に防止することができ、短辺側側壁部７の両側部における強度をより一層高めることができる。
【００７９】
さらに、短辺側側壁部７には、短辺側ベース板２１の外面に対向しつつ、側部補強板部６１の長手方向に対して交差する横方向に延び、長手方向一端部側が側部補強板部６１と連結されている横架補強板部６５と、各側部補強板部６１よりも短辺側ベース板２１の横幅方向中央部側において、短辺側ベース板２１の外面に対向しつつ、横架補強板部６５の長手方向に対して交差する縦方向に延びる中間補強板部６８とが設けられている。このように、横架補強板部６５、及び、中間補強板部６８が設けられることで、短辺側側壁部７の２重壁構造の部位が増え、短辺側側壁部７の強度の向上を図ることができる。
【００８０】
また、横架補強板部６５が側部補強板部６１と連結されるとともに、横架補強板部６５が連結壁７５を介して中間補強板部６８とも連結されていることから、これらが互いに支持して短辺側側壁部７のより一層の強度向上を図ることができる。さらに、短辺側ベース板２１の外面から側部補強板部６１の外面までの距離、短辺側ベース板２１の外面から横架補強板部６５の外面までの距離、及び、短辺側ベース板２１の外面から中間補強板部６８までの距離は同じとなっており、側部補強板部６１の外面、横架補強板部６５の外面、中間補強板部６８の外面、及び、連結壁７５の外面は面一とされている。これにより、側部補強板部６１の外面、横架補強板部６５の外面、中間補強板部６８の外面、及び、連結壁７５の外面に跨るようにして、比較的大きなカード差し７６を比較的きれいに、かつ、しっかりと貼着することができる。
【００８１】
尚、２重壁構造とする上記構成が一対の短辺側側壁部７に適用されることにより、組立状態にある折畳み容器１の長辺側側壁部６に対して上からの力が加えられた場合においても、長辺側側壁部６の両側部に係止された一対の短辺側側壁部７によって長辺側側壁部６の両側部をしっかりと支持することができる。このため、長辺側側壁部６の座屈等についても確実に抑止することができる。
【００８２】
加えて、本実施形態では、中間補強板部６８の上部内面を成形するために、短辺側ベース板２１に対して中間第１開口部７２が形成されている。これにより、当該部位の成形性の向上等を図ることができる。また、当該中間第１開口部７２については、持ち手カバー３４が装着されるカバー装着部３６において形成されているため、持ち手カバー３４によって、持ち手用開口部３３とともに、中間第１開口部７２についても閉塞されることとなる。従って、折畳み容器１に対して物品を出し入れする場合に、物品が持ち手用開口部３３や中間第１開口部７２に引っ掛かる等といった事態を回避することができる。
【００８３】
尚、上記実施形態の記載内容に限定されず、例えば次のように実施してもよい。勿論、以下において例示しない他の応用例、変更例も当然可能である。
【００８４】
（ａ）折畳み容器１の折畳み状態において、寝かせ位置にある一対の長辺側側壁部６の間に隙間１１７が形成され、折畳み状態にある折畳み容器１を段積みした場合に、上側の折畳み容器１のガイド突部１１８が、下側の折畳み容器１の前記隙間１１７に収容されるように構成されているが、ガイド突部１１８が収容されるような隙間１１７が形成されないように構成してもよい。但し、前記隙間１１７が（十分に）形成されない場合、折畳み状態における折畳み容器１の段積みを行うべく、ガイド突部１１８の突出長を短くしたり、補強リブ１０１のうち折畳み状態の折畳み容器１を段積みする際にガイド突部１１８と対応する部位（例えば、長辺側側壁部６の長辺側上辺リブ１２や平行リブ１１２）の突出長を短くしたりする必要が生じる上、段積みされた折畳み容器１の高さも増してしまうことが懸念されるため、前記隙間１１７を形成する方が望ましい。
【００８５】
加えて、上記実施形態では、リブ収容部１１３において、底壁部３の下面から突出するリブが形成されない構成となっているが、例えば、支持リブ８２間を連結するようにして、支持リブ８２よりも突出長の短いリブを設けることとしてもよい。
【００８６】
（ｂ）上記実施形態では、底壁部３の土台形成範囲８１に設けられる底部補強部８３として、長辺側軸受部４３及び長辺側ヒンジ部１４（切欠き部９１）によって構成される第１長辺側収容凹部８９に収容される第１長辺側底部補強部８５と、長辺側土台部４において長辺側軸受部４３とは別に形成される第２長辺側収容凹部９０に収容される第２長辺側底部補強部８６と、長辺側側壁部６の外面側に形成された短辺側収容凹部１００に収容される短辺側底部補強部８７とが設けられているが、特にかかる構成に限定されるものではない。但し、折畳み状態にある折畳み容器１を段積みする場合に、上側の折畳み容器１の支持リブ８２を、下側の折畳み容器１の長辺側側壁部６の内側に挿入させる構成において、第１長辺側底部補強部８５を設けることで、当該第１長辺側底部補強部８５と、これに対応する長辺側軸受部４３、及び、長辺側ヒンジ部１４との両方を極力底壁構成部２のコーナー部に近接させて設けることができ、また、第２長辺側底部補強部８６を設けることで、折畳み状態における折畳み容器１の段積み状態の安定化を図ることができ、さらに、短辺側底部補強部８７を設けることで、底壁部３の短辺部における変形の防止等を図ることができることから、極力多くの種類の底部補強部８３を組合わせて適用することが望ましい。
【００８７】
尚、短辺側底部補強部８７を省略するといった構成を採用する場合に、支持リブ８２を一対の長辺側土台部４の間の範囲において、底壁部３の長手幅方向全域に設けるように構成してもよい。但し、上記実施形態のように、土台形成範囲８１に支持リブ８２を形成しない構成とすることで、長辺側側壁部６及び短辺側側壁部７の上辺部の高さを変化させることなく、組立状態にある折畳み容器１同士を段積みすることも可能になる。
【００８８】
また、上記実施形態では、第１長辺側収容凹部８９を構成する長辺側ヒンジ部１４に対して、先端部に切欠き部９１を形成することで、第１長辺側底部補強部８５の長辺側軸受部４３への挿入を許容するように構成されているが、例えば、第１長辺側収容凹部８９を構成する長辺側ヒンジ部１４において、折畳み容器１が折畳み状態にある場合に上方に開口する収容凹部としての凹部を形成し、該凹部に第１長辺側底部補強部８５を挿入（収容）させるように構成してもよい。
【００８９】
（ｃ）上記実施形態では、底部補強部８３の底壁部３からの突出長が、支持リブ８２の底壁部３からの突出長と同じであり、ともに折畳み容器１を支持する構成とされているが、底部補強部８３の底壁部３からの突出長を支持リブ８２の底壁部３からの突出長よりも短く構成してもよい。この場合、底部補強部８３が直接設置面に接地して、底壁部３を支持するといった構成ではなくなるが、底部補強部８３が設けられることによって、底壁部３の強度が向上することとなるため、依然として、底壁部３の土台形成範囲８１の変形を抑制するといった作用効果が奏される。但し、底部補強部８３が直接設置面に接地するといった構成を採用する場合には、底壁部３の土台形成範囲８１の変形を抑制するといった作用効果がより顕著に奏されることとなる。
【００９０】
（ｄ）上記実施形態では、長辺側ヒンジ部１４や短辺側ヒンジ部２４に取付孔９２が形成されるとともに、当該取付孔９２に対して隙間カバー９３が取付けられているが、取付孔９２及び隙間カバー９３を省略し、折畳み容器１の組立状態において、長辺側ヒンジ部１４や短辺側ヒンジ部２４（特に連結部１５、２５）によって、長辺側軸受部４３や短辺側軸受部５２が折畳み容器１の内側に露出することを防止するように構成してもよい。
【００９１】
また、上記実施形態において、ロック機構２８を省略し、その代わりに、長辺側側壁部６に対し、折畳み容器１の組立状態において短辺側側壁部７の内面側に当接して支持する弾性係止片を設けることとしてもよい。
【００９２】
（ｅ）上記実施形態では、短辺側側壁部７において、側部補強板部６１、横架補強板部６５、及び、中間補強板部６８が設けられているが、特にこのような構成に限定されるものではなく、２重壁構造とされる部位や範囲等は、短辺側側壁部７の形状等に応じて適宜設定可能である。但し、各短辺側側壁部７の横幅方向両側部に側部補強板部６１を設けることで、短辺側側壁部７の高さ方向における圧縮強度を効果的に高めることができるとともに、両側部の強度の高められた短辺側側壁部７によって、該短辺側側壁部７に連結される長辺側側壁部６の変形を効果的に抑制することができる。さらには、持ち手用開口部３３等が形成される場合には、その周縁部を２重壁構造とすることで、かかる部位の変形をより確実に防止することができる。尚、短辺側側壁部７を２重壁構造にすることに代えて、又は、加えて、長辺側側壁部６にも２重壁構造を適用することとしてもよい。
【００９３】
（ｆ）上記実施形態では、持ち手用開口部３３は短辺側側壁部７に形成されているが、これに代えて、又は、加えて、長辺側側壁部６に持ち手用開口部３３を形成することとしてもよい。但し、側部補強板部６１、横架補強板部６５、及び、中間補強板部６８を具備する（２重壁構造を具備する）一対の短辺側側壁部７に持ち手用開口部３３を形成することにより、持ち手用開口部３３が形成されることに起因する短辺側側壁部７の強度低下を十二分に補うことができる。尚、持ち手用開口部３３を省略することとしてもよい。かかる構成を採用する場合、持ち手カバー３４を装着することもなくなるため、短辺側ベース板２１において中部第１開口部７２等の開口部を形成しないように構成することが望ましい。また、短辺側側壁部７に対して持ち手用開口部３３が形成されない構成とする場合、中間補強板部６８を上方に向けて中間横リブ３２まで延ばし、横架補強板部６５と連結されるように構成してもよい。
【００９４】
（ｇ）上記実施形態では、折畳み容器１はポリプロピレンにより構成されているが、ポリエチレン、ＰＥＴ、ポリアミド等その他の樹脂材料により構成されることとしてもよい。
【符号の説明】
【００９５】
１…折畳み容器、２…底壁構成部、３…底壁部、４…長辺側土台部、５…短辺側土台部、６…長辺側側壁部、７…短辺側側壁部、１２…長辺側上辺リブ、１４…長辺側ヒンジ部、２４…短辺側ヒンジ部、４３…長辺側軸受部、５２…短辺側軸受部、８１…土台形成範囲、８２…支持リブ、１０１…補強リブ、１１１…縦リブ、１１２…平行リブ、１１３…リブ収容部、１１４…上辺リブ収容部、１１５…縦リブ収容部、１１７…隙間、１１９…長手リブ、１２０…連結リブ。
【図１】
0006258153.tif 000002
【図２】
0006258153.tif 000003
【図３】
0006258153.tif 000004
【図４】
0006258153.tif 000005
【図５】
0006258153.tif 000006
【図６】
0006258153.tif 000007
【図７】
0006258153.tif 000008
【図８】
0006258153.tif 000009
【図９】
0006258153.tif 000010
【図１０】
0006258153.tif 000011
【図１１】
0006258153.tif 000012
【図１２】
0006258153.tif 000013
【図１３】
0006258153.tif 000014
【図１４】
0006258153.tif 000015
【図１５】
0006258153.tif 000016
【図１６】
0006258153.tif 000017
【図１７】
0006258153.tif 000018
【図１８】
0006258153.tif 000019